(57)【要約】【課題】冷却能力を向上させることにより、装置の小型化を実現した電力変換装置および冷却フィンを提供する。【解決手段】パワー半導体と、前記パワー半導体の熱を放熱する冷却フィンと、前記冷却フィンに空気を流通させる電動ファンと、前記電動ファンからの空気を通す複数の平板と、を備え、前記複数の平板のうち一部の平板にスリットが設けられたことを特徴とする。該スリットが設けられた平板の前記電動ファン側の端部は前記電動ファン側に曲がっていることを特徴とする。【選択図】  図４
2014204606.tif 000002
【特許請求の範囲】
【請求項１】
パワー半導体と、
前記パワー半導体の熱を放熱する冷却フィンと、
前記冷却フィンに空気を流通させる電動ファンと、
前記電動ファンからの空気を通す複数の平板と、を備え、
前記複数の平板のうち一部の平板にスリットが設けられている電力変換装置。
【請求項２】
請求項１記載の電力変換装置であって、
前記複数の平板は略平行に並べて配置されていることを特徴とする電力変換装置。
【請求項３】
請求項２記載の電力変換装置であって、
該略平行に並べて配置された前記複数の平板のうち、前記電動ファンからの空気が流通しにくい側に配置された平板に該スリットが設けられていることを特徴とする電力変換装置。
【請求項４】
請求項２記載の電力変換装置であって、
前記複数の平板は前記電動ファンからの風が該複数の平板の間を通るような向きに配置されていることを特徴とする電力変換装置。
【請求項５】
請求項１乃至４のいずれかに記載の電力変換装置であって、
該スリットが設けられた平板の前記電動ファン側の端部は前記電動ファン側に曲がっていることを特徴とする電力変換装置。
【請求項６】
請求項１乃至５のいずれかに記載の電力変換装置であって、
前記一部の平板に設けられたスリットの幅が異なることを特徴とする電力変換装置。
【請求項７】
請求項１乃至６のいずれかに記載の電力変換装置であって、
一の平板のスリットの位置と該一の平板の隣の平板のスリットの位置とが互い違いであることを特徴とする電力変換装置。
【請求項８】
請求項１乃至７のいずれかに記載の電力変換装置であって、
前記電動ファンは前記冷却フィンの裏板に取り付けられていることを特徴とする電力変換装置。
【請求項９】
電動ファンからの空気を通す複数の平板のうち一部の平板にスリットが設けられている冷却フィン。
【請求項１０】
請求項９記載の冷却フィンであって、
前記複数の平板は略平行に並べて配置されていることを特徴とする冷却フィン。
【請求項１１】
請求項１０記載の冷却フィンであって、
該略平行に並べて配置された前記複数の平板のうち、前記電動ファンからの空気が流通しにくい側に配置された平板に該スリットが設けられていることを特徴とする冷却フィン。
【請求項１２】
請求項１０記載の冷却フィンであって、
前記複数の平板は前記電動ファンからの風が該複数の平板の間を通るような向きに配置されていることを特徴とする冷却フィン。
【請求項１３】
請求項９乃至１２のいずれかに記載の冷却フィンであって、
該スリットが設けられた平板の前記電動ファン側の端部は前記電動ファン側に曲がっていることを特徴とする冷却フィン。
【請求項１４】
請求項９乃至１３のいずれかに記載の冷却フィンであって、
前記一部の平板に設けられたスリットの幅が異なることを特徴とする冷却フィン。
【請求項１５】
請求項９乃至１４のいずれかに記載の冷却フィンであって、
一の平板のスリットの位置と該一の平板の隣の平板のスリットの位置とが互い違いであることを特徴とする冷却フィン。
【発明の詳細な説明】
【技術分野】
【０００１】
本発明は、電力変換装置および冷却フィンに関する。
【背景技術】
【０００２】
電力変換装置であるインバータは、産業界をはじめ家電製品にも電動機の速度制御装置として多く採用されている。電力変換装置において、パワー半導体（例えば、ＩＧＢＴ等）の冷却は必須である。一般に、電力変換装置には、通常動作限界温度が決まっているＩＧＢＴなどの電力変換用のパワー半導体が用いられている。これは、パワー半導体は電力変換時の電気的損失により発熱し、パワー半導体の動作限界温度を超えてもなお発熱したままにすれば、そのパワー半導体は動作しなくなる虞がある。そのため、電力変換装置においては、このパワー半導体を冷却する構造を採用する必要がある。すなわち、冷却フィンと電動ファンとを備え、発熱体たるパワー半導体からの熱を冷却フィンに熱伝導させ、電動ファンによって冷却フィンに空気を送って熱交換させ、空冷方式によって放熱させている。
【０００３】
冷却フィンに電動ファンを用いて、強制空冷にて冷却を行われることは、一般的に行われている。しかしながら、電動ファンは、回転方向により、風が冷却フィンに流れやすい場所と流れづらい場所が発生し易い。風の流れが場所により異なると、冷却フィンに温度差が発生し、冷却フィンの効率が低下してしまう。このため、電動ファンと冷却フィンの間に整流板を設けたり、チャンバーを設けたりして、空気の流れを均一にし、冷却フィンの温度を均一化する必要がある。
【０００４】
パワー半導体からの熱を空冷する方法の一つとして、電力変換装置内の空気を吸い込んで外部に吐き出すことにより空冷を行うＰＵＬＬ方式がある。電動ファンをＰＵＬＬ方式（装置内の空気を吐き出す方向）で使用することで、冷却フィンに流れる風が平均的になり易くすることができる。
【０００５】
また、パワー半導体からの熱を空冷する別の方法として、外部の冷気を吸い込んで電力変換装置内に吐き出すＰＵＳＨ方式がある。ＰＵＳＨ方式では、冷気を吸い込むため、冷却ファンの寿命が改善される。例えば特許文献１の段落「００１７」には、「図７はアルミダイカストにより一体整形したインバータ装置の冷却装置部分の配置を示す斜視図である。アルミダイカストによる一体整形にてフィン部を作ることによって、１個のファンを使用し、小形で安価な冷却フィンをもったインバータ装置とすることができる」ことが開示されている。
【先行技術文献】
【特許文献】
【０００６】
【特許文献１】特開平６−７７６７７号公報
【発明の概要】
【発明が解決しようとする課題】
【０００７】
空冷方法としてＰＵＬＬ方式（電力変換装置内の空気を外部に吐き出す方向）を用いた場合、冷却フィンに流れる風が平均的になり易くなるという効果はあるが、装置内の空気を吸い込むため、一緒に装置内の熱も吸い込み、電動ファンの周囲の温度を高くしてしまうことから、電動ファン寿命が短くなるという問題がある。
【０００８】
また、先行技術文献に示した特許文献１の冷却方式（ＰＵＳＨ方式）では、電力変換装置外部の冷気を吸い込むため、冷却ファンの寿命は改善されるが、軸流ファン３が冷却フィン１の部品取付け面７に対し直角方向に取付けられるため、冷却フィンの側端のリブ６の高さが前記軸流ファンの寸法以下にすることはできないという課題がある。
【０００９】
すなわち、冷却フィンのリブの高さが前記軸流ファンの寸法により決定されるため、冷却フィンの小型化（冷却フィンの奥行き寸法を小さくする）ができず、しいてはインバータ装置の奥行き寸法も小さくすることができないため、インバータ装置を小型化することができないという問題があった。
【００１０】
本発明は、上記従来の課題にかんがみ、小型化を実現し、かつ、冷却能力を向上した電力変換装置および冷却フィンを提供するものである。
【課題を解決するための手段】
【００１１】
上記課題を解決するための本発明の一態様は、パワー半導体と、前記パワー半導体の熱を放熱する冷却フィンと、前記冷却フィンに空気を流通させる電動ファンと、前記電動ファンからの空気を通す複数の平板と、を備え、前記複数の平板のうち一部の平板にスリットが設けられていることを特徴とする。
【発明の効果】
【００１２】
本発明によれば、冷却フィン全体の温度を均一化することにより放熱効率を向上させて装置を小型化することができる。
【図面の簡単な説明】
【００１３】
【図１】本発明に係る電力変換装置を設置した際の斜視図。
【図２】本発明に係る冷却フィンにパワー半導体を実装した図。
【図３】本発明に係る冷却フィン（図２）の背面図。
【図４】本発明に係る冷却フィン（図３）の第一の実施形態の斜視図。
【図５】本発明に係る冷却フィンの第１の実施形態の正面図。
【図６】本発明に係る冷却フィンの第２の実施形態を示す図。
【図７】本発明に係る冷却フィンの第３の実施形態を示す図。
【図８】本発明に係る冷却フィンの第４の実施形態を示す図。
【図９】本発明に係る冷却フィンの第５の実施形態を示す図。
【図１０】本発明に係る冷却フィンの第６の実施形態を示す図。
【図１１】本発明に係る冷却フィンの第６の実施形態（図１０）におけるシミュレーション結果を示す図。
【図１２】本発明に係る冷却フィンの第１の実施形態（図４）におけるシミュレーション結果を示す図。
【図１３】本発明に係る冷却フィンの第７の実施形態を示す図。
【図１４】本発明に係る冷却フィンの第８の実施形態を示す図。
【図１５】本発明に係る冷却フィンの第９の実施形態を示す図。
【図１６】本発明に係る冷却フィンの第１０の実施形態を示す図。
【図１７】本発明に係る冷却フィンの第１１の実施形態を示す図。
【図１８】本発明に係る冷却フィンの第１２の実施形態を示す図。
【図１９】本発明に係る冷却フィンの第１３の実施形態を示す図。
【図２０（ａ）】本発明に係る図４に示した冷却フィンの平行平板部分の拡大図。
【図２０（ｂ）】本発明に係る図２０（ａ）の変形例の拡大図。
【発明を実施するための形態】
【００１４】
以下図面を用いて本発明について説明する。なお、各図における共通の構成については同一の参照番号を付してある。また、本発明は図示例に限定されるものではない。
【実施例１】
【００１５】
本発明による電力変換装置の実施例１における形態を以下に図を用いて説明する。  
図１は、本発明に係る電力変換装置を設置した際の斜視図である。  
図１に記載の電力変換装置は、アルミ製の冷却フィン１と本体カバー２と表面カバー３を備えて構成されており、本体カバー２の内側には、電子部品を実装した基板や主回路を構成する部品が配置されている。
【００１６】
通常、電力変換装置を使用する際は、図１の電力変換装置の冷却フィン１側を壁に設置するように配置して使用する。本実施例では、壁に設置する側（冷却フィン１側）を背面、背面と対向する表面カバー３側を前面、表面カバー３面に対して右側の側面を右側面(図１で見えている方の側面)、表面カバー３面に対して左側の側面を左側面(図１で見えていない方の側面)と呼ぶ。
【００１７】
図２は、本発明に係る冷却フィンにパワー半導体を実装した図である。これは、図１の電力変換装置において壁に設置された背面側の冷却フィン１の部分を取り出した図である。
【００１８】
冷却フィン１の表面（部品実装面）上にパワー半導体４が実装され、電動ファンの回転による空気（風）が効率良く平行平板(フィン)に流れるように、冷却フィン１の背面には例えば樹脂製あるいは金属製の裏板５が取付けられている。平行平板（フィン）については後述する。
【００１９】
パワー半導体４で発生した熱が冷却フィン１に熱伝導され、電動ファンによって冷却フィン１に空気を送って熱交換させ、空冷方式によって放熱する構造である。
【００２０】
図３は、本発明に係る冷却フィン（図２）の背面図である。  
冷却フィン１の枠の中に電動ファン６が設けられており、電動ファン６を覆うように裏板５が取付けられている。
【００２１】
図４は、本発明に係る冷却フィン（図３）の第一の実施形態の斜視図である。図３に示した冷却フィン１の背面側に配置されている裏板５を取り外した状態である。
【００２２】
電動ファン６は、冷却フィン１の下部の略中央に設けられている。図４に示された側を冷却フィン１の前面（電力変換装置の使用状態においては背面）とすると、この電動ファン６は冷却フィン１の前面からみて時計回りに回転し、電力変換装置外部からの冷気を吸い込み、平行平板に対して風を送るように構成されている。
【００２３】
冷却フィン１に対して複数の平行平板７、１１が略平行に、かつ、前記電動ファンからの風が該複数の平板の間を通るような向きに配置されている。
【００２４】
冷却フィン１の前面から見た場合、電動ファン６の左上側には複数の平行平板(フィン)７が設けられている。複数の平行平板７は、電力変換装置の使用状態において鉛直たて方向に、電動ファン６の形状に沿った長さに形成されている。
【００２５】
冷却フィン１の前面から見た場合、電動ファン６の右上側には、切り欠き（スリット）８を持つ複数の平行平板（フィン）１１が設けられており、平行平板（フィン）７と同様に、電力変換装置の使用状態において鉛直たて方向に、電動ファン６の形状に沿った長さに形成されている。冷却フィン１の前面に対して電動ファン６の右上側の複数の平行平板１１がスリット８付きである点が、本願発明の特徴の一つである。
【００２６】
電動ファン６は時計回りに回転するため、電動ファン６の左上側の平行平板７方向に対しては風が押し込められやすいのに対して、電動ファン６の右上側の平行平板１１方向に対しては風が入っていきにくい。そのため、右上側の平行平板１１は左上側の平行平板７よりも放熱されにくい傾向がある。そこで、右上側の平行平板１１にスリット８を設けることで、電動ファン６からの風が複数の平行平板１１に対して平行方向（鉛直たて方向）に通るのみでなく、各平行平板１１のスリット８の間を抜けていくことができる。よって、スリット８のある平行平板１１を設けることで、風の流れを良くし、放熱性能を上げることができる。これにより、元々風の流れの良い左上側の平行平板７と比較して同等の風の流れを右上側の平行平板１１でも実現することができ、冷却フィン全体を見たときに全体において平均的な風の流れを実現することができる。
【００２７】
また、右上側の平行平板１１の持つスリット８部分に風がぶつかることで乱流が発生し、これによっても放熱性能を上げることができる。これらの理由により、右上側の平行平板１１をスリット８付きにすることで、電力変換装置を均一に冷却し、冷却フィンの温度を均一化することが可能となる。
【００２８】
つまり、電動ファン６の右上側の平行平板(フィン)に切り欠き（スリット部）を設ける目的は、平行平板１１の管路抵抗を下げ平行平板１１の右側にも風を流れ易くすると同時に、平行平板１１の切り欠き部分の下の部分に平板を残すことで、熱放熱を実現するためである。  
ここで、右上側の平行平板１１の切り欠き８の幅（鉛直たて方向の長さ）をＨとする。
【００２９】
また、平行平板１１の電動ファン６側の端部にはガイド(曲げ部)１０が形成されている点が本願発明の特徴の一つである。このガイド１０は、電力変換装置の設置状態における鉛直方向に対して電力ファン６寄りに曲がって形成されている。
【００３０】
風が入っていきにくい電動ファン６の右上側の平行平板１１の電動ファン６側の端部にガイド１０を設けることにより、電動ファン６からの風が電動ファン６の右上側の平行平板１１方向に流れやすくなり、電動ファン６の右上側の平行平板１１側の風の流れを良くし、放熱性能を上げることができる。これにより、元々風の流れの良い左上側の平行平板７と比較して同等の風の流れを右上側の平行平板１１でも実現することができ、冷却フィン全体を見たときに全体において平均的な風の流れを実現することができる。  尚、図４に示す切り欠き８は、平行平板１１の一部を除くように形成されているが、取り除かれた部分の形状は正方形や三角には限らず、どのような形状であってもよい。例えば台形や丸型であっても、電動ファン６の右上側の平行平板１１側の風の流れを良くし、放熱性能を上げることができるという同様の効果を奏することができる。
【００３１】
また、図４に示す切り欠き８は平行平板１１の一部を除くように形成されているが、冷却フィン１の下まで完全に取り除かれた平行平板１１であってもよい。この場合は、一部を残してスリット８が形成されている場合よりもさらに風の流れが良くなるので、さらに放熱効率を上げることができるという効果を奏する。
【００３２】
図４では中心より右までがスリットなしの平行平板７にて構成されているが、スリットなしの平行平板７とスリット８ありの平行平板１１との割合は、電動ファン６による風の押し込み方によって、冷却フィン１での放熱効率が略均一になるように決めればよい。
【００３３】
図５は、本発明に係る冷却フィン（図４）の第一の実施形態の正面図であり、図４における空気の流れを説明する図である。  電動ファン６は、例えばシロッコファン（多翼送風ファン）であり、時計廻りに回転している状態で、矢印９は電動ファン６の回転に伴い空気（風）が流れる向きを示している。尚、ここではシロッコファンを示しているが、電動ファン６はシロッコファンには限定されず、回転ファンであれば何でも良い。
【００３４】
従来のように切り欠きなしの平行平板を電動ファンに対して左右同じように配置した場合を考える（図示せず）。上述のとおり、電動ファン６の回転方向を時計回りとした場合、電動ファン６の鉛直方向中心軸から左側に配置された平行平板（フィン）７に対しては下方向から上方向へと風が流れるのに対して、電動ファン６の鉛直方向中心軸から右側に配置された平行平板（フィン）１１に対しては上方向から下方向へと風が流れる。
【００３５】
そこで、冷却フィンの右側の平行平板（フィン）１１の入口にガイド（曲げ部）１０を設けることにより、風が当該ガイドに当たり、下流側に逃げることなく、当該ガイドに沿って右側の平行平板（フィン）の下流から上流に向けて流れるようになる。
【００３６】
しかし、矢印９の空気（風）の流れる向きを見れば分かるように、冷却フィンの中心から左側の平行平板（フィン）には電動ファンの回転により電動ファン６から平行平板７の上方に向かって風が押込まれるが、電動ファン６の右側においては、風の流れが右下向きであることから、右側の平行平板（フィン）１１には風が押込まれ難い状態にある。
【００３７】
このためさらに、右側の平行平板(フィン)に切り欠き（スリット部）を設けることにより、管路抵抗を下げ平行平板の右側にも風を流れ易くすることができる。
【００３８】
ここで、管路抵抗を下げるための前記スリット８は、管路抵抗を下げることが目的であるため、上述のとおり、平行平板(フィン)の根元までスリットを切る必要はないが、根元まで切ってもよい。
【００３９】
さらに、管路抵抗を下げるための平行平板(フィン)左側の形状は、一般的なピンフィンのような形状であってもよい。
【実施例２】
【００４０】
本発明による電力変換装置の実施例２における形態を以下に図６を用いて説明する。  
図６は、本発明に係る冷却フィンの第２の実施形態を示す図である。図６（ａ）は斜視図、図８（ｂ）は正面図である。冷却フィン１前面に対して左側の各平行平板(フィン)７の間隔Ｌ１に対して、右側の各平行平板(フィン)１１の間隔Ｌ２を広げた（Ｌ２＞Ｌ１）点を特徴の一つとする。左右の平行平板７、１１の平板間間隔を変えることで、左側の各平行平板(フィン)７に比べて右側の各平行平板(フィン)１１間の管路抵抗が小さくなる。空気（風）は抵抗（管路抵抗）の小さい空間を流れやすいため、平行平板(フィン)７に比べて平行平板１１に風が流れやすくなり、放熱効率を上げることができるため、冷却フィン１全体で均一になるような放熱が可能となる。
【００４１】
また、右側の各平行平板(フィン)１１間の管路抵抗を小さくすることにより、冷却フィン１の各フィン間に平均的に風が流れるようにすることができ、従来に比べて小型で安価な冷却フィンを得ることができる。
【実施例３】
【００４２】
本発明による電力変換装置の実施例３における形態を以下に図７を用いて説明する。  
図７は、本発明に係る冷却フィンの第３の実施形態を示す図である。
【００４３】
冷却フィン１の左側の各平行平板(フィン)７の厚みｔ１に対して、管路抵抗の大きい右側の各平行平板(フィン)１１の厚みｔ２を厚くして（ｔ２＞ｔ１）、左側の各平行平板(フィン)１１よりも右側の各平行平板(フィン)１１への熱伝導効果を大きくした点を特徴の一つとする。
【００４４】
厚みの厚い平行平板１１の方が熱伝導率が高く熱が逃げやすいので、電動ファン６からの熱が押し込まれにくい右側の平行平板１１の熱伝導率を左側の平行平板７の熱伝導率に対して上げることで、冷却フィン１内部の熱を均一にすることができる。  
このようにすることにより、冷却フィン全体の温度を均一化することができる。
【実施例４】
【００４５】
本発明による電力変換装置の実施例４における形態を以下に図８を用いて説明する。  
図８は、本発明に係る冷却フィンの第４の実施形態を示す図である。
【００４６】
冷却フィン１の右側の各平行平板(フィン)１１に設けられた切り欠き（スリット）部分の幅（長さ）Ｈが各平行平板１１によって異なる点を特徴の一つとする。図８では、右側の平行平板１１が一つおきにスリット部分の幅Ｈが異なるように構成されている（Ｈ１＞Ｈ２）。この構成によれば、風の流れが複雑になるので風と並行平板の接触時間が長くなり、伝熱効率が良くなる。
【実施例５】
【００４７】
本発明による電力変換装置の実施例５における形態を以下に図９を用いて説明する。  
図９は、本発明に係る冷却フィンの第５の実施形態を示す図である。冷却フィン１の右側の各平行平板(フィン)１１に設けられた切り欠き（スリット）８部分を互い違いに配置した点を特徴の一つとする。この構成によれば、風の流れが複雑になるので風と並行平板の接触時間が長くなり、伝熱効率が良くなる。
【実施例６】
【００４８】
本発明による電力変換装置の実施例６における形態を以下に図１０を用いて説明する。  図１０は、本発明に係る冷却フィンの第６の実施形態を示す図である。図４と異なる点は、電動ファン６の右上側の平行平板がスリットを有さない点である。図４と比べてスリットを有さないため、スリット分による放熱効率の向上は見込めないが、ガイド１０部分により電動ファン６から電動ファン６の右上側の平行平板に対する風が流れやすくなることにより冷却フィン１の右半分での放熱効率の向上が見込める。
【００４９】
ここで、図１０に示した第６の実施形態と図４に示した第一の実施形態とについて行ったシミュレーション結果を図１１と図１２にそれぞれ示す。
【００５０】
図１１は図１０に示した実施例６（スリット８無し、ガイド１０あり）について行ったシミュレーション結果である。図１１の平行平板１１’に対応する箇所にスリット形状が示されているが、これはシミュレーションソフトの関係で描かれた印にすぎず、実際のシミュレーションではスリットの無い平行平板が配置されているという条件でシミュレーションが行われた。
【００５１】
また、図１２は図４に示した実施例１（スリット８あり、ガイド１０あり）について行ったシミュレーション結果である。こちらについては図１２に示したとおりのスリット形状の平行平板１１’を条件としてシミュレーションが行われた。
【００５２】
図１１と図１２とを比べると、スリットありの条件でシミュレーションを行った図１２の方がスリット無しの図１１よりも平行平板１１’において風の流れが多くなっていることが分かる。また、電動ファン６からの風が複数の平行平板１１’に対して平行方向（鉛直たて方向）に通るのみでなく、各平行平板１１’のスリット８の間を抜けていく状態がわかる。  
このことから、右上側の平行平板１１’の持つスリット８部分に風がぶつかることで乱流が発生し、これによっても放熱性能を上げることができる。  
これにより、スリット８を有する平行平板１１’を用いた場合の方が、風の流速が早く、放熱効率を向上させることができることが分かる。
【実施例７】
【００５３】
本発明による電力変換装置の実施例７における形態を以下に図１３を用いて説明する。
図１３は、本発明に係る冷却フィンの第７の実施形態を示す図である。電動ファン６が冷却フィン１の前面に対して左下側に設けられた点を特徴の一つとする。
【００５４】
図２で示したパワー半導体４にはパワー半導体チップ（図示せず）が搭載されている。パワー半導体４の右側内部には逆変換器を構成する複数個のスイッチング素子としてＩＧＢＴチップが搭載されており、左側内部には順変換器を構成する複数個の整流ダイオードチップが搭載されている。当然、チップの発生する損失は、ＩＧＢＴチップの方が、整流ダイオードチップよりはるかに大きい。すなわち、発生損失が大きいチップ側に空気（風）を勢い良くかつ沢山流すことが冷却効率の面で有効である。
【００５５】
図１３は、冷却フィン１の背面図であり、背面から見てパワー半導体４の左側内部に逆変換器を構成する複数個のＩＧＢＴチップが搭載されており、右側内部に複数個の整流ダイオードチップが搭載されている。すなわち、パワー半導体チップの搭載位置を鑑み、発生損失の大きいチップ（例えば、ＩＧＢＴチップ）が搭載された箇所、つまり本実施例では、電動ファン６を、冷却フィン１の下部の管路抵抗の小さい左側に設けることで、放熱効率を高めることが可能である。
【実施例８】
【００５６】
本発明による電力変換装置の実施例８における形態を以下に図１４を用いて説明する。  図１４は、本発明に係る冷却フィンの第８の実施形態を示す図である。平行平板７と平行平板１１の高さが異なる点を特徴の一つとする。図１４に示した平行平板７、１１の断面図の通り、平行平板７の高さが平行平板１１の高さよりも低いことが分かる。
【００５７】
電動ファン６からの風が流れにくい右上側の平行平板１１の高さを左上側の平行平板７よりも高くすることで、管路抵抗が上がり風が通りにくくなる一方、風がぶつかる平行平板１１の表面積が増えることにより放熱効率を向上させることができるという効果がある。
【実施例９】
【００５８】
本発明による電力変換装置の実施例９における形態を以下に図１５を用いて説明する。  図１５は、本発明に係る冷却フィンの第９の実施形態を示す図である。本実施例は電動ファン６を裏板５の冷却フィン１側に取り付けた点を特徴の一つとする。
【００５９】
電動ファン６を裏板５に取り付けた場合は、電動ファン６からの風が押し込まれにくい側に対応する位置に配置された平行平板にはスリットとガイドを設け、電動ファン６からの風が押し込まれやすい側に対応する位置に配置された平行平板にはスリットを設けないなどのように構成することで、冷却フィン１全面で略均一に放熱することが可能となる。
【００６０】
また、風が一定の方向（冷却ファンの下流から上流方向へ）に流れるように、裏板５の下部に曲げ部１２を設けている。
【実施例１０】
【００６１】
本発明による電力変換装置の実施例１０における形態を以下に図１６を用いて説明する。  
図１６は、本発明に係る冷却フィンの第１０の実施形態を示す図である。本実施例は、平行平板１１のスリット長が下側（電動ファン６側）になるほど大きくなる点を特徴の一つとする。
【実施例１１】
【００６２】
本発明による電力変換装置の実施例１１における形態を以下に図１７を用いて説明する。
図１７は、本発明に係る冷却フィンの第１１の実施形態を示す図である。本実施例は、図１６と逆で、平行平板１１のスリット長（Ｈ）が上側（電動ファン６から遠くなる側）になるほど大きくなる点を特徴の一つとする。
【実施例１２】
【００６３】
本発明による電力変換装置の実施例１２における形態を以下に図１８を用いて説明する。
図１８は、本発明に係る冷却フィンの第１２の実施形態を示す図である。本実施例は、電動ファン６の回転方向が反時計回りの場合について示したものであり、反時計回り回転の場合に電動ファン６からの風が押し込まれにくい方向（図１８の平面図における左側）にスリット８を有する平行平板１１が配置され、電動ファン６からの風が押し込まれやすい方向（図１８の平面図における右側）にはスリットを有さない平行平板７が配置されている点を特徴の一つとする。
【００６４】
この場合は、電動ファン６からの風が押し込まれにくい方向（図１８の平面図における左側）にスリット８を有する平行平板１１が配置されていることで放熱効率を上げることができ、冷却フィン１全体として略均一に冷却することが可能となる。
【実施例１３】
【００６５】
本発明による電力変換装置の実施例１３における形態を以下に図１９を用いて説明する。
図１９は、本発明に係る冷却フィンの第１３の実施形態を示す図である。本実施例は、冷却フィン１の中央部分に電動ファン６が設けられている点を特徴の一つとする。
【００６６】
図１９においては電動ファン６が時計回りにまわるため、風が押し込まれにくい平行平板（図１９向かって右上と左下）がスリットありの平行平板により構成されている。この構成によって、冷却フィン１全体で略均一に冷却することが可能となる。
【実施例１４】
【００６７】
本発明による電力変換装置の平行平板の変形例を以下に図２０を用いて説明する。  
図２０は、本発明に係る冷却フィンの第１４の実施形態を示す図である。図２０（ａ）は図４に示した冷却フィンの平行平板１１部分の拡大図、図２０（ｂ）はその変形例である。
【００６８】
図２０（ｂ）の平行平板１１の先端部分は図２０（ａ）よりも尖っている。これにより、平行平板１１の表面積が増えて放熱されやすくなる。また、尖った部分に風が当たることで乱流が発生し、それによっても放熱されやすくなるという効果がある。
【符号の説明】
【００６９】
１…冷却フィン、２…本体ケース（ケーシング）、３…本体カバー（カバー）、４…パワー半導体、５…裏板、６…電動ファン（ファン）、７、１１、１１´…平行平板(フィン)、８…平行平板の切り欠き（スリット部）、９…空気（風）の流れる向き、１０…ガイド（曲げ部）。
【図１】
2014204606.tif 000003
【図２】
2014204606.tif 000004
【図３】
2014204606.tif 000005
【図４】
2014204606.tif 000006
【図５】
2014204606.tif 000007
【図６】
2014204606.tif 000008
【図７】
2014204606.tif 000009
【図８】
2014204606.tif 000010
【図９】
2014204606.tif 000011
【図１０】
2014204606.tif 000012
【図１１】
2014204606.tif 000013
【図１２】
2014204606.tif 000014
【図１３】
2014204606.tif 000015
【図１４】
2014204606.tif 000016
【図１５】
2014204606.tif 000017
【図１６】
2014204606.tif 000018
【図１７】
2014204606.tif 000019
【図１８】
2014204606.tif 000020
【図１９】
2014204606.tif 000021
【図２０（ａ）】
2014204606.tif 000022
【図２０（ｂ）】
2014204606.tif 000023